(57)【要約】【課題】引戸と柱或いは引戸同士の間に指を挟んだとしても指が負傷するのを確実に防止することができる安全性の極めて高い引戸の端部構造を提供する。【解決手段】引戸１０の開閉方向側端部における長手方向の所定位置に外縁を形成する硬質部分が後退した後退部３０を設け、この後退部３０にクッション部材２４を取り付けているので、引戸１０を開閉する際に当該引戸１０を柱１４ｃに激しく押し当てても、硬質部分が係止片（ストッパ）として機能し、後退部３０に取り付けたクッション部材２４が潰れてしまうことはない。したがって、クッション部材２４が衝撃吸収機能を失うことはなく、引戸１０開閉時に誤って引戸１０と柱１４ｃとの間に手足の指を挟んでも、指が負傷するのを確実に防止することができる。【選択図】図６
2007138587.tif 000002
【特許請求の範囲】
【請求項１】
引戸の開閉方向側の端部における端部構造であって、
長手方向の所定位置に外縁を形成する硬質部分が後退した後退部を設けると共に、前記後退部にクッション部材を取り付けたことを特徴とする引戸の端部構造。
【請求項２】
引戸の開閉方向側の端面と略同等の大きさの当接面を有し、前記当接面を介して前記引戸の開閉方向側の端面に取り付けられる長尺の本体と、
前記本体の前記当接面が設けられた面の反対側の面に長手方向にて所定の間隔をおいて突設された複数の硬質凸部と、
前記硬質凸部の間に形成される後退部に取り付けられたクッション部材とで構成されていることを特徴とする端部部材。
【請求項３】
前記硬質凸部の表面と前記クッション部材の表面とを可撓性のシート部材で被覆すると共に、前記シート部材の端部を前記当接面に接合したことを特徴とする請求項２に記載の端部部材。
【請求項４】
請求項２又は３に記載の端部部材が、開閉方向側の端部の少なくとも一方に取着されていることを特徴とする引戸。
【発明の詳細な説明】
【技術分野】
【０００１】
本発明は、安全に開閉することができる引戸の端部構造と、このような端部構造を構成するための端部部材とに関する。
【背景技術】
【０００２】
従来より、スライド扉や襖などのいわゆる引戸において、戸を開閉する(とりわけ閉める)際、戸と柱或いは戸同士の間に指を挟んで負傷するという問題があった。そこで、このような問題を解決すべく、戸の開閉方向側端面の長手方向全長に亘ってクッション材を取り付ける技術が提案されている。その一例として、図８に示すように、扉１端面に突き当てる背板２と、軟質合成樹脂にて形成され、背板２の長手方向の両側縁に連続し背板２との間に空間３を形成する湾曲クッション壁４と、軟質合成樹脂にて形成され、クッション壁４の内面適所と背板２の内面適所との間に繋がる中間壁５とを備えたクッション材６を用いる技術が挙げられる（例えば、特許文献１参照。）。
【０００３】
かかる技術によれば、中間壁５を設けることにより、扉１を閉じる際に背板２とクッション壁４との間の空間３が完全に押し潰されるのを防止でき、当該空間３がクッションとして機能する結果、扉１と柱７或いは扉１同士の間に挟んだ手指が負傷するのをある程度防止することができる。
【特許文献１】実開平０６−１８５９０号公報
【発明の開示】
【発明が解決しようとする課題】
【０００４】
しかしながら、上述のように扉１の閉じ側端面の長手方向全長に亘ってクッション材６を設けたものでは、勢いをつけて扉１を激しく閉めた場合、たとえ中間壁５を設けたとしても、クッション材６が押し潰されて大きく変形し、空間３がクッションとして機能しなくなる。つまりクッション材６が衝撃吸収機能を失ってしまう。このため、かかる場合に手指を挟んでしまえば、その衝撃によって手指が負傷する虞があった。
【０００５】
それゆえに、本発明の主たる課題は、引戸と柱或いは引戸同士の間に指を挟んだとしても指が負傷するのを確実に防止することができる安全性の極めて高い引戸の端部構造と、このような端部構造を簡単に構成することができ、意匠性と耐久性とに優れた端部部材を提供することである。
【課題を解決するための手段】
【０００６】
請求項１に記載した発明は、「引戸１０の開閉方向側の端部における端部構造Ｓであって、長手方向の所定位置に外縁を形成する硬質部分が後退した後退部３０を設けると共に、後退部３０にクッション部材２４を取り付けた」ことを特徴とする引戸１０の端部構造Ｓである。
【０００７】
この発明では、引戸１０の開閉方向側の端部における長手方向の所定位置に外縁を形成する硬質部分が後退した後退部３０を設け、この後退部３０にクッション部材２４を取り付けているので、引戸１０の開閉方向側端部の長手方向全体に亘ってクッション材を設けた場合と異なり、引戸１０を開閉する際に当該引戸１０を柱１４ｃに激しく押し当てても、前記硬質部分が係止片（ストッパ）として機能し、後退部３０に取り付けたクッション部材２４が潰れてしまうことはない。つまり、クッション部材２４が衝撃吸収機能を失うことはない。このため、当該後退部３０及びクッション部材２４を引戸開閉の際に手や足が近接する部分に設ければ、引戸開閉時（とりわけ引戸１０を閉める際）に誤って引戸１０と柱１４ｃとの間に手足の指を挟んでも、クッション部材２４が衝撃吸収機能を発揮し、指が負傷するのを確実に防止することができる。
【０００８】
ここで、端部構造Ｓが構成される「開閉方向側の端部」とは、引戸１０の開閉方向と交差する側の端部を意味する。
【０００９】
請求項２に記載した発明は、「引戸１０の開閉方向側の端面１０ｃと略同等の大きさの当接面２０ａを有し、当接面２０ａを介して引戸１０の開閉方向の端面１０ｃに取り付けられる長尺の本体２０と、本体２０の当接面２０ａが設けられた面の反対側の面に長手方向にて所定の間隔をおいて突設された複数の硬質凸部２２と、硬質凸部２２の間に形成される後退部３０に取り付けられたクッション部材２４とで構成されている」ことを特徴とする端部部材１８である。
【００１０】
この発明では、本体２０の当接面２０ａを引戸１０の開閉方向の端面１０ｃに取り付けるだけで、簡単に上述した（請求項１に記載の）端部構造Ｓを構成することができる。
【００１１】
請求項３に記載した発明は、請求項２に記載の端部部材１８において、「硬質凸部２２の表面とクッション部材２４の表面とを可撓性のシート部材２６で被覆すると共に、シート部材２６の端部２６ａを当接面２０ａに接合したことを特徴とする」ものである。
【００１２】
請求項２に記載した端部部材１８では、硬質凸部２２とクッション部材２４とが互いに材質の異なった材料で構成されていることから、これらの外観に違いが生じている。そこで、本発明のように、硬質凸部２２の表面とクッション部材２４の表面とを可撓性のシート部材２６で被覆することによって、硬質凸部２２とクッション部材２４との外観の違いを隠して見栄えをよくすることができる。また、シート部材２６の素材や色やデザイン等を選択することで端部部材１８の表面に意匠性を付与することができる。
【００１３】
さらに、シート部材２６の端部２６ａを当接面２０ａに接合しているので、端部部材１８を引戸１０の端面１０ｃに取り付けた際、シート部材２６の端部２６ａが当接面２０ａと引戸１０の端面１０ｃとの間に収められる。このため、シート部材２６の端部２６ａが捲れ上がり、当該シート部材２６が端部部材１８の表面から脱落するのを防止することができる。
【発明の効果】
【００１４】
本発明によれば、引戸と柱或いは引戸同士の間に指を挟んだとしても指が負傷するのを確実に防止することができる安全性の極めて高い引戸の端部構造と、このような端部構造を簡単に構成することができ、意匠性と耐久性とに優れた端部部材とを提供することができる。
【発明を実施するための最良の形態】
【００１５】
以下、本発明を図面に従って詳述する。なお、以下の説明において、各部位を上位概念で示す場合にはアルファベットの枝番をつけずアラビア数字のみで示し、各部位を区別する必要がある場合(すなわち下位概念で示す場合)にはアルファベット大文字の枝番をアラビア数字に付して区別する。
【００１６】
本発明を適用する引戸１０は、図１に示すように、住居等の壁１２に設けられた開口部１４の内面（具体的には敷居１４ａと鴨居１４ｂとの間）に配置され、柱１４ｃに向けて水平方向に開閉・移動する（以下、本実施例ではこの方向を「開閉方向」という。）戸であり、スライド扉，襖，障子及び雨戸などがこれに該当する。
【００１７】
図２〜５は、本発明の端部構造Ｓが適用された引戸１０を表したものである。これらの図が示すように、本発明の一実施例の引戸１０は、骨組みされた枠体１０ａと該枠体１０ａの表裏両面に取り付けられた一対の板状の面材１０ｂとで構成されており（図３，４参照）、その開閉方向側の端面１０ｃの中央部には、長手方向に向けて凹溝１６が延設されている。そして、この端面１０ｃに、引戸１０を開閉する際に人が指を詰めて負傷するのを防止する端部部材１８Ａ及び１８Ｂ（１８）が取り付けられている。
【００１８】
端部部材１８は、本体２０、硬質凸部２２、クッション部材２４およびシート部材２６によって構成されている。
【００１９】
本体２０は、引戸１０の開閉方向側の端面１０ｃと略同等の大きさの当接面２０ａを有する長尺の部材であり、挽材，合板，木質繊維板（ＩＢ，ＭＤＦ等），木削片板（パーティクルボード，ストランドボード，ＯＳＢ等），集成材などの木質材料、アクリルやポリカーボネートなどのプラスチック材料又はアルミニウムなどの金属材料等の硬質材料を単独で、もしくは、これらを複合して形成されている。
【００２０】
この本体２０の当接面２０ａ中央部には上述した凹溝１６に嵌め込まれる凸条２０ｂが長手方向に亘って形成されており、当接面２０ａが設けられた面の反対側の面には、図３及び図５に示すように、長手方向の両端部に所定の間隔をおいて高さ５〜１５ｍｍ程度の硬質凸部２２が設けられている。
【００２１】
なお、本実施例において、引戸１０の閉じ側の端部１０ｃに取り付けられる端部部材１８Ａの本体２０の側面には、長手方向全体に亘って取手となる凹溝２８が設けられており、これに対向する端面１０ｃに取り付けられる端部部材１８Ｂの本体２０の側面には、このような凹溝２８は設けていない。
【００２２】
硬質凸部２２は、引戸１０を開閉する際、その先端が開口部１４の柱１４ｃに突き当たる部材であり、上述した本体２０と同様に挽材，合板，木質繊維板（ＩＢ，ＭＤＦ等），木削片板（パーティクルボード，ストランドボード，ＯＳＢ等），集成材などの木質材料、アクリルやポリカーボネートなどのプラスチック材料又はアルミニウムなどの金属材料等の硬質材料を単独で、もしくは、これらを複合して形成されている。なお、この硬質凸部２２は本体２０と一体的に形成するようにしてもよいし、別体で形成するようにしてもよい。
【００２３】
このように本体２０の長手方向両端部に所定の間隔をおいて硬質凸部２２を設けることによって、端部部材１８を引戸１０の開閉方向側の端部１０ｃに取り付けて引戸１０を開閉する際、人の手が掛けられる本体２０の長手方向中央部には、硬質部分が５〜１５ｍｍ程度の深さにて後退した凹状の後退部３０が形成されることとなる（図４及び図５参照）。
【００２４】
そして、硬質凸部２２の間に形成された後退部３０には、その先端面が前記硬質凸部２２の先端面と略面一となるように接着剤などの固定手段を介してクッション部材２４が取り付けられている。
【００２５】
クッション部材２４は、引戸１０と柱１４ｃとの間に指を挟んだ際、指に与えられる衝撃を吸収する部材である。このクッション部材２４を構成する材料としては、例えばポリウレタンフォーム，ポリエチレンフォーム，ゴムスポンジなどを挙げることができるが、クッション性を有する材料であれば如何なるものであってもよく、これらに限定されるものではない。
【００２６】
シート部材２６は、硬質凸部２２及びクッション部材２４の表面を覆う可撓性のシートである。上述したように硬質凸部２２とクッション部材２４とは互いに材質の異なった材料で構成されているため、これらの外観に違いが生じている。そこで、これらの表面をシート部材２６で被覆することによって、硬質凸部２２とクッション部材２４との外観の違いを隠して見栄えをよくすることができる。
【００２７】
このシート部材２６を構成する材料としては、例えば布帛，フィルム，合成或いは天然の皮革などを挙げることができるが、可撓性並びに隠蔽性を有するシート状のものであれば如何なるものであってもよく、これらに限定されるものではない。なお、シート部材２６を構成する素材自体或いはその色や模様等を適宜選択することで端部部材１８の表面に意匠性を付与することができる。このうち、シート部材２６として、耐久性が高く、肌触りに優れると共に、ある程度の弾力性を有する合成皮革を用いれば、意匠性のみならず、その弾力性によって端部部材１８を柱１４ｃに突き当てた際の衝撃音を低減することもできる。
【００２８】
このシート部材２６は、接着剤などの固定手段を介して硬質凸部２２及びクッション部材２４の表面に固定するが、この際、クッション部材２４とシート部材２６との間には固定手段を介在させないようにするのが好ましい。こうすることで、クッション部材２４が変形する際に当該シート部材２６によってその動きが規制されるのを防止できるからである。
【００２９】
また、シート部材２６の端部２６ａは、接着剤などの固定手段を介して本体２０の当接面２０ａに固定されている。こうすることで、端部部材１８を引戸１０の端面１０ｃに取り付けた際、シート部材２６の端部２６ａが当接面２０ａと引戸１０の端面１０ｃとの間に収められる。このため、シート部材２６の端部２６ａが捲れ上がり、当該シート部材２６が端部部材１８の表面から脱落するのを防止することができる。
【００３０】
以上のように構成された端部部材１８を引戸１０に取り付ける際には、まず、引戸１０の開閉方向側の端面１０ｃに設けられた凹溝１６内に接着剤を塗布する。このように凹溝１６内に接着剤を塗布することによって、端面１０ｃと当接面２０ａとの隙間から接着剤がはみ出すのを防止することができ、引戸１０と端部部材１８との接合部分の見映えをよくすることができる。
【００３１】
そして、この凹溝１６に端部部材１８の本体２０に設けられた凸条２０ｂを嵌め込み[こうすることで２つの部材を精度よく簡単に位置決めすることができる]、接着剤を硬化させることにより引戸１０への端部部材１８の取り付けが完了し、引戸１０の開閉方向側端部に本発明の端部構造Ｓが完成する。
【００３２】
本実施例の引戸１０の端部構造Ｓによれば、引戸１０の開閉方向側端部における長手方向の中央部に外縁を形成する硬質部分が後退した後退部３０を設け、この後退部３０にクッション部材２４を取り付けているので、引戸１０の開閉方向側端部の長手方向全体に亘ってクッション材を設けた場合と異なり、引戸１０を閉める際に当該引戸１０を柱１４ｃに激しく突き当てても、硬質部分が係止片（ストッパ）として機能し、後退部３０に取り付けたクッション部材２４が潰れてしまうことはない。したがって、クッション部材２４が衝撃吸収機能を失うことはなく、引戸開閉時（とりわけ引戸１０を閉める際）に誤って引戸１０と柱１４ｃとの間に手の指を挟んでも、クッション部材２４が衝撃吸収機能を発揮し、指が負傷するのを確実に防止することができる。
【００３３】
また、上述のような端部部材１８を用いることにより、当該端部部材１８を引戸１０の開閉方向側の端面１０ｃに取り付けるだけで、簡単に端部構造Ｓを構成することができる。
【００３４】
なお、上述の実施例では、引戸１０の開閉方向側の端面１０ｃに端部部材１８を取り付けて端部構造Ｓを構成する場合を示したが、図６に示すように、このような端部部材１８を用いず、引戸１０の開閉方向側端面における長手方向中央部を切り欠いて凹状の後退部部３０を形成し、当該後退部３０にクッション部材２４を取り付けるようにしてもよい。また、（図示しないが）引戸１０の開閉方向側端面１０ｃの長手方向両端部に別体で構成した硬質凸部２２を取り付けて長手方向中央部に後退部３０を形成し、当該後退部３０にクッション部材２４を取り付けるようにしてもよい。さらに、端部部材１８の長手方向上端部にのみ硬質凸部２２を設け、或いは、引戸１０の開閉方向側端面における長手方向中央部から下端部までを切り欠いて、段状に後退部３０を形成するようにしてもよい。つまり、引戸１０の開閉方向側の端部における長手方向の所定位置に外縁を形成する硬質部分が後退した後退部３０を設けることができるのであれば、その態様は如何なるものであってもよい。
【００３５】
また、上述の例では、引戸１０の開閉方向側の端部における長手方向中央部にのみ後退部３０を設ける場合を示したが、図７に示すように、引戸１０の取り付け状態における下端部にも後退部３０(この場合は段状となる)を設け、当該部分にもクッション部材２４を取り付けるようにしてもよい。こうすることで、手の指のみならず足の指を引戸１０と柱１４ｃとの間に挟んだ場合であっても、足指が負傷するのを防止することができる。
【００３６】
そして、上述の例では、引戸１０の開閉方向側の端部の両方に端部構造Ｓを構成する場合を示したが、当該端部構造Ｓは少なくとも閉じ側の端部に設けられれば十分な効果を奏することができる。
【図面の簡単な説明】
【００３７】
【図１】本発明の端部構造が適用された引戸の使用態様を示す説明図である。
【図２】本発明の端部構造が適用された一実施例の引戸を示す斜視図である。
【図３】図２におけるＡ−Ａ線断面図である。
【図４】図２におけるＢ−Ｂ線断面図である。
【図５】図２におけるＣ−Ｃ線断面図である。
【図６】本発明の端部構造が適用された他の実施例の引戸を示す斜視図である。
【図７】本発明の端部構造が適用された他の実施例の引戸を示す斜視図である。
【図８】従来の引戸の端部構造を示す斜視図である。
【符号の説明】
【００３８】
１０…引戸
１０ｃ…（開閉方向側の）端面
１４…開口部
１４ｃ…柱
１６…凹溝
１８…端部部材
２０…本体
２０ａ…当接面
２０ｂ…凸条
２２…硬質凸部
２４…クッション部材
２６…シート部材
２６ａ…（シート部材の）端部
２８…凹溝（取手）
３０…後退部
Ｓ…端部構造
【図１】
2007138587.tif 000003
【図２】
2007138587.tif 000004
【図３】
2007138587.tif 000005
【図４】
2007138587.tif 000006
【図５】
2007138587.tif 000007
【図８】
2007138587.tif 000008
【図６】
2007138587.tif 000009
【図７】
2007138587.tif 000010